(57)【要約】【課題】移動方向を遠方からでも容易に視認でき、かつ高齢者などであっても安全に利用することができるエスカレータや動く歩道などのマンコンベアを提供する。【解決手段】エスカレータ１は、ステップ列４と、欄干パネル５の縁に沿ってステップ列４と同期して無限循環移動する移動手すりベルト８とを備えている。移動手すりベルト８にはその長手方向に沿って複数の窪み１０が設けられている。エスカレータの運転時にはステップ列４および移動手すりベルト８が同じ速度で同じ方向に移動する。移動手すりベルト８にはその長手方向に沿って窪み１０が設けられているから、エスカレータを遠方の位置から見たときに移動手すりベルト８の移動方向つまりエスカレータが上りの運転か下りの運転かを容易に視認できる。エスカレータのステップ列４の上に乗客が乗り込んで移動手すりベルト８を掴んだときには、手が窪み１０に食い込むため、しっかりと握ることができる。【選択図】    図１
2008087919.tif 000002
【特許請求の範囲】
【請求項１】
無限循環移動するステップ列と、このステップ列の両側に配置された欄干パネルの縁に沿って前記ステップ列と同期して無限循環移動する移動手すりベルトとを備えるマンコンベアにおいて、
前記移動手すりベルトにその長手方向に沿って所定の間隔で並ぶ複数の窪みが設けられていることを特徴とするマンコンベア。
【請求項２】
前記窪みは、移動手すりベルトの側面部に設けられていることを特徴とする請求項１に記載のマンコンベア。
【請求項３】
前記窪みは、移動手すりベルトの角部に設けられていることを特徴とする請求項１に記載のマンコンベア。
【発明の詳細な説明】
【技術分野】
【０００１】
この発明は、互いに隣接して並ぶ複数のステップを無限循環移動させて乗客を一方向に搬送するエスカレータや動く歩道などのマンコンベアに関する。
【背景技術】
【０００２】
マンコンベアとしての例えばエスカレータは、乗客が乗る複数のステップをチェーンを介して無端状に連結してなるステップ列と、このステップ列の両側に配置された欄干パネルと、これら欄干パネルの縁に移動可能に装着された無端状の移動手すりベルトと、前記ステップ列と移動手すりベルトとを同期して同じ方向に同じ速度で無限循環移動させる駆動装置とで構成されている。そしてこのエスカレータを利用する乗客は、ステップ列の上に乗り、手を移動手すりベルトに掛けて体を支え、この状態で乗客が無限循環移動するステップ列により例えば建屋の下階から上階に向かって搬送される。
【０００３】
ところで、一般に建屋内の各階には上り方向に移動するエスカレータと下り方向に移動するエスカレータとが設置され、各階の利用者は目的の方向に移動するエスカレータを選んで利用することになる。利用者がエスカレータの近傍にまで行けば、移動手すりベルトやステップ列の移動方向を見て上りのエスカレータか下りのエスカレータかを容易に判別することができる。
【０００４】
しかしながら、エスカレータを建屋内の遠方から見たときには、移動手すりベルトが一方向に移動していてもその移動手すりベルトの全域が一様であるため静止しているように見え、エスカレータの移動方向を知ることができないという不便な点がある。
【０００５】
そこで、特開２００５−６７８０１公報では、移動手すりベルトの表面に模様、絵柄、図形、写真、記号、文字などの表示を施して、遠方から見たときでも移動手すりベルトの移動の方向を視認できるようにしたエスカレータが提案されている。
【特許文献１】特開２００５−６７８０１公報
【発明の開示】
【発明が解決しようとする課題】
【０００６】
しかしながら、移動手すりベルトの表面に模様や絵柄などの表示を施すと、エスカレータの全体がけばけばしくなり、特にホテルや病院などのように落ち着いた雰囲気が求められる建物では違和感が生じ、その要望に応えられなくなる。
【０００７】
一方、エスカレータの移動手すりベルトは、利用者がステップ列に乗ったときに自身の体を支えて転倒などを防ぐために掴むものであり、このためその素材としてゴムなどの滑りにくい材料で形成されている。
【０００８】
しかしながら、従来の移動手すりベルトの表面は滑から面となっており、このため非力な高齢者や虚弱な人などでは移動手すりベルトをしっかり握ることができず、手が滑って不安を招いたり、よろけてしまうようなことが生じ易く、より高い安全性が求められている。
【０００９】
このような点は、エスカレータに限らず、平面の床面状に設置される動く歩道などのマンコンベアにおいても同様である。
【００１０】
この発明はこのような点に着目してなされたもので、その目的とするところは、外観的な違和感を伴うことなく、移動方向を遠方からでも容易に視認でき、かつ高齢者などであっても安全に利用することができるエスカレータや動く歩道などのマンコンベアを提供することにある。
【課題を解決するための手段】
【００１１】
請求項１の発明は、無限循環移動するステップ列と、このステップ列の両側に配置された欄干パネルの縁に沿って前記ステップ列と同期して無限循環移動する移動手すりベルトとを備えるマンコンベアにおいて、前記移動手すりベルトにその長手方向に沿って所定の間隔で並ぶ複数の窪みが設けられていることを特徴としている。
【００１２】
請求項２の発明は、前記窪みが、移動手すりベルトの側面部に設けられていることを特徴としている。
【００１３】
請求項３の発明は、前記窪みが、移動手すりベルトの角部に設けられていることを特徴としている。
【発明の効果】
【００１４】
この発明のマンコンベアによれば、外観的な違和感を伴うことなく、移動方向を遠方からでも容易に視認でき、かつ高齢者などであっても安全に利用することができる。
【発明を実施するための最良の形態】
【００１５】
以下、この発明の実施形態について図面を参照して説明する。
【００１６】
図１には、マンコンベアの一例であるエスカレータ１の外観を示してある。このエスカレータ１は建屋の下階と上階との間に架け渡されている。このエスカレータ１は、左右に平行に並ぶ一対のデッキボード２を備え、これらデッキボード２の相互間に複数のステップ３を無端状に連結してなるステップ列４が配置され、このステップ列４が無限循環移動して乗客を建屋の下階から上階へ、或いは上階から下階へ向けて搬送するようになっている。
【００１７】
各デッキボード２の上面部には、欄干パネル５が垂直に起立するように取り付けられている。これら欄干パネル５は例えばアクリル製の透明板からなり、デッキボード２に沿って延び、互いに対向するように配置されている。各欄干パネル５の縁部には手すりベルトレール６が取り付けられ、さらにこの手すりベルトレール６に図２に示すようにガイドレール７が取り付けられている。
【００１８】
ガイドレール７は断面ほぼＴ字状をなし、このガイドレール７の外周に断面ほぼＣ字状をなす移動手すりベルト８が装着されている。移動手すりベルト８は例えばゴムなどの適度な柔軟性をもつ材料により無端状に形成され、ステップ列４が無限循環移動する際にこのステップ列４と同じ速度で同じ方向に前記ガイドレール７に沿って無限循環移動するようになっている。
【００１９】
移動手すりベルト８の両側面部には、その長手方向に沿って所定の間隔をあけて並ぶように複数の窪み１０が形成されている。これら窪み１０は例えば円弧状に凹む形状の窪みであって移動手すりベルト８の長手方向全長区間に渡って均等的に設けられている。そして並列する窪み１０の間隔は、エスカレータの利用者が移動手すりベルト８を手で握ったときに、その手が並列する窪み１０ａのうちの少なくとも１つに触れる間隔となっている。
【００２０】
このエスカレータ１は、上りの運転時にはステップ列４および移動手すりベルト８が建屋の下階から上階に向かう方向に一定の速度で移動する。ここで、エスカレータ１を遠方の位置から見ると、移動手すりベルト８が一様でなく、その側面に一定の間隔で並ぶ窪み１０が形成されていることから、移動手すりベルト８が移動していること、およびその移動方向を視認することができる。すなわち、エスカレータ１が上り方向に運転されているのか下り方向に運転されているのかをエスカレータ１の遠方の位置から容易に知ることができる。
【００２１】
したがって上り方向を希望しているときにはそのエスカレータ１に近づいてそのエスカレータ１を利用すればよく、また下り方向を希望しているときには他の下り方向のエスカレータ１を目視して探し、そのエスカレータ１を利用すればよく、いちいちエスカレータ１の近傍にまで行って上りか下りかを判別するような無駄な動作を要することなく効率よくエスカレータ１を利用することができる。
【００２２】
移動手すりベルト８の移動を視認させる手段としての窪み１０は、ベルトの表面に模様や絵柄などの表示を施す従来の手段と異なり、見た目の違和感やけばけばしがなく、このためエスカレータ１の全体を落ち着きのある雰囲気に保て、特にホテルや病院などのように落ち着きのある雰囲気が求められる建物への設置に有効となる。
【００２３】
一方、エスカレータ１を実際に利用するときには、移動しているステップ列４の一つのステップ３の上に乗り込むと共に、移動している移動手すりベルト８に手を掛けて握り、自身の体を支える。
【００２４】
ここで、移動手すりベルト８の両側面部には、複数の窪み１０が一定の間隔で設けられており、したがって移動手すりベルト８を手で握ったときにその手の一部が窪み１０に食い込み滑りにくくなり、このため非力な高齢者や虚弱な人であっても移動手すりベルト８をしっかりと掴んで体を支えることができ、安全性が高まる。
【００２５】
図３にはこの発明の第２の実施形態を示してある。前記第１の実施形態では、窪み１０が移動手すりベルト８の側面部に設けられているが、この第２の実施形態においては、断面ほぼ矩形状をなす移動手すりベルト８の各角部に窪み１０ａが設けられている。
【００２６】
この場合にも、窪み１０ａは移動手すりベルト８の長手方向に沿って一定の間隔をあけて並列するように設けられている。すなわち、エスカレータの利用者が移動手すりベルト８を手で握ったときに、その手が並列する窪み１０ａのうちの少なくとも１つに触れる間隔で窪み１０ａが設けられている。
【００２７】
この実施形態の場合には、前記第１の実施形態の場合と同様に、窪み１０ａの存在により移動手すりベルト８の移動方向つまりエスカレータが上り運転であるか下りの運転であるかをエスカレータの遠方の位置から視認して容易に判断することができる。
【００２８】
そして、窪み１０ａが移動手すりベルト８の角部に設けられているため、移動手すりベルト８を手で握った際によりしっかりと移動手すりベルト８を掴むことができる。つまり、移動手すりベルト８を手で握ったときには、その手が移動手すりベルト８の角部に強く当るが、その角部に窪み１０ａが設けられているため、手と窪み１０ａとがしっかりとかみ合い、より安定して移動手すりベルト８を掴むことができ、高齢者や虚弱な人であっても安定して体を支えることができる。
【００２９】
なお、この発明は、建屋の下階と上階との間に渡って傾斜状に据え付けるエスカレータを対象とする場合のほか、建屋の床部分に水平に据え付けて乗客を搬送する動く歩道などのマンコンベアにおいても同様に適用することができる。
【図面の簡単な説明】
【００３０】
【図１】この発明の第１の実施形態に係るマンコンベアとしてのエスカレータを示す斜視図。
【図２】そのエスカレータの移動手すりベルトの一部を拡大して示す斜視図。
【図３】この発明の第２の実施形態に係るマンコンベアとしてのエスカレータにおける移動手すりベルトの一部を拡大して示す斜視図。
【符号の説明】
【００３１】
１…エスカレータ
２…デッキボード
３…ステップ
４…ステップ列
５…欄干パネル
６…手すりベルトレール
７…ガイドレール
８…移動手すりベルト
１０…窪み
１０ａ…窪み
【図１】
2008087919.tif 000003
【図２】
2008087919.tif 000004
【図３】
2008087919.tif 000005